(57)【特許請求の範囲】
【請求項１】
客が買上げる商品を識別可能な商品識別データが入力されると、商品ファイルから当該商品識別データに関連付けて記憶されている商品設定データを呼び出し、この商品設定データに基づいて商品販売データを生成し取引バッファに格納する商品販売処理装置において、
買上商品を持ち帰るための買物袋を客が持参していることを宣言するマイバッグ宣言手段と、
前記商品ファイルから呼出した前記商品設定データに個別包装対象の商品であることを示す個別包装情報が含まれているか解析する商品設定データ解析手段と、
前記マイバッグ宣言手段による宣言を受け付けた状態で前記客が買上げる商品の前記商品設定データ解析手段により解析された商品設定データに前記個別包装情報が含まれているとき、個別包装すべき旨を報知する個別包装報知手段と、
前記個別包装報知手段による報知の停止を指示する停止指示手段と、
前記取引バッファにて記憶される商品販売データの決済を指示する決済指示手段と、
前記商品設定データ解析手段により前記個別包装情報が含まれていないと判定されたときには前記決済指示手段による決済指示入力を受け付け、前記個別包装情報が含まれていると判定されたときには前記停止指示手段により報知停止の指示入力を受け付けた後で前記決済指示手段による決済指示入力を受け付ける決済指示受付手段と、
を具備したことを特徴とする商品販売処理装置。
【請求項２】
前記決済指示受付手段は、前記決済指示手段による指示入力を受け付けるとともに前記商品識別データの入力も受け付け、前記商品識別データが入力されると、前記商品ファイルから当該商品識別データに関連付けて記憶されている商品設定データを呼び出して処理することを特徴とする請求項１記載の商品販売処理装置。
【請求項３】
前記商品設定データ解析手段は、前記商品ファイルから前記商品設定データが呼出される毎にその商品設定データに個別包装対象の商品であることを示す個別包装情報が含まれているか解析し、
前記個別包装報知手段は、前記マイバッグ宣言手段により前記買物袋を持参していることが宣言されているとき、前記商品設定データ解析手段により個別包装情報が含まれていると判別される毎に個別包装すべき旨を報知することを特徴とする請求項１または２記載の商品販売処理装置。
【請求項４】
前記マイバッグ宣言手段により買物袋を客が持参していることが宣言されるとセットされるマイバッグ情報を記憶するマイバッグ情報記憶手段、をさらに具備し、
前記商品設定データ解析手段は、前記マイバッグ情報記憶手段により前記マイバッグ情報が記憶されているとき、前記商品ファイルから呼出された前記商品設定データを解析することを特徴とする請求項３記載の商品販売処理装置。
【請求項５】
客が買上げる商品を識別可能な商品識別データが入力されると、商品ファイルから当該商品識別データに関連付けて記憶されている商品設定データを呼び出し、この商品設定データに基づいて商品販売データを生成し取引バッファに格納する商品販売処理装置に、
買上商品を持ち帰るための買物袋を客が持参していることを宣言するマイバッグ宣言手段による宣言を受け付ける機能と、
前記商品ファイルから呼出した前記商品設定データに個別包装対象の商品であることを示す個別包装情報が含まれているか解析する機能と、
前記マイバッグ宣言手段による宣言を受け付けた状態で前記商品ファイルから呼出した前記商品設定データを解析した結果、前記個別包装情報が含まれていると判定されると、個別包装すべき旨を報知する機能と、
前記商品設定データを解析した結果、前記個別包装情報が含まれていないと判定されたときには、前記取引バッファにて記憶される商品販売データの決済指示入力を受け付け、前記個別包装情報が含まれていると判定されたときには前記報知の停止指示入力を受け付けた後で前記決済指示入力を受け付ける決済指示受付機能と、
を実現させるためのプログラム。
【請求項６】
前記決済指示受付機能は、前記決済指示入力を受け付けるとともに前記商品識別データの入力も受け付け、前記商品識別データが入力されると、前記商品ファイルから当該商品識別データに関連付けて記憶されている商品設定データを呼び出して処理することを特徴とする請求項５記載のプログラム。
【発明の詳細な説明】
【技術分野】
【０００１】
本発明は、個別包装が必要な商品を取扱う小売店向けの商品販売処理装置に関する。
【背景技術】
【０００２】
近年、スーパーマーケット等の小売店では、環境保護活動の一環から、マイバッグ運動が奨められている。マイバッグ運動は、客が買上げた商品を持ち帰るための買物袋を客が持参する運動であり、その買物袋をマイバッグあるいはエコバッグと称する。店側は、マイバッグ利用客に対してポイントの割増や値引などの特典を付与することで、マイバッグの普及に努めている。
【０００３】
ところで、スーパーマーケットで取扱われる商品には、肉、魚等のように汁等がこぼれ易い商品や、洗剤等のように匂いが強い商品があり、これらの商品を買物袋に入れる際には、個別に包装した方がよい。そこで通常は、レジやサッカー台に個別包装用の袋が用意されており、店員若しくは客が、必要に応じて個別包装を行い、店から提供されるレジ袋やマイバッグに入れている。
【０００４】
これに関連して、特許文献１は、店員が商品を梱包袋に梱包するのを助ける梱包支援システムを開示する。このシステムは、ＰＯＳ（Point Of Sales）端末にて各商品に関連する必要な情報を含むテーブルを予め記憶する。そして、ＰＯＳ端末に商品のコードが読み込まれたとき、上記テーブルを参照して必要な情報、たとえば「たれが漏れ易いためビニール袋に入れてください」をディスプレイに表示させる。
【先行技術文献】
【特許文献】
【０００５】
【特許文献１】特開２００５−２６７３４６号公報
【発明の概要】
【発明が解決しようとする課題】
【０００６】
しかしながら、従来の梱包支援システムは、各客との商取引において、ＰＯＳ端末に商品のコードが読み込まれる毎に必要な情報が表示されるので、その都度、店員が情報を確認して対処する必要があり、店員の負担が大きい。
通常、レジ袋は繰返し使用しないが、マイバッグは繰返し使用する。このため、バッグが汚れたり匂いが付着したりしないように個別包装すべきである。キャッシャが客のマイバッグに商品を直接収容する際に、キャッシャの不注意で汁が漏れ易い商品を個別包装することなく収容してしまい、マイバッグが汚れてしまうと、客の満足度が大きく低下する。
【０００７】
本発明はこのような事情に基づいてなされたもので、マイバッグ利用客が買上げる商品の中に個別包装が必要な商品が存在する場合に限り個別包装すべき旨を報知でき、店員の大きな負担となることなくマイバッグ利用客へのサービス向上を図ることを目的とする。
【課題を解決するための手段】
【０００８】
本発明は、客が買上げる商品を識別可能な商品識別データが入力されると、商品ファイルから当該商品識別データに関連付けて記憶されている商品設定データを呼び出し、この商品設定データに基づいて商品販売データを生成し取引バッファに格納する商品販売処理装置において、買上商品を持ち帰るための買物袋を客が持参していることを宣言するマイバッグ宣言手段と、商品ファイルから呼出した商品設定データに個別包装対象の商品であることを示す個別包装情報が含まれているか解析する商品設定データ解析手段と、マイバッグ宣言手段による宣言を受け付けた状態で客が買上げる商品の商品設定データ解析手段により解析された商品設定データに個別包装情報が含まれているとき、個別包装すべき旨を報知する個別包装報知手段と、個別包装報知手段による報知の停止を指示する停止指示手段と、取引バッファにて記憶される商品販売データの決済を指示する決済指示手段と、商品設定データ解析手段により個別包装情報が含まれていないと判定されたときには決済指示手段による決済指示入力を受け付け、個別包装情報が含まれていると判定されたときには停止指示手段により報知停止の指示入力を受け付けた後で決済指示手段による決済指示入力を受け付ける決済指示受付手段とを備えたものである。
【発明の効果】
【０００９】
かかる手段を講じた本発明によれば、マイバッグ利用客が買上げる商品の中に個別包装が必要な商品が存在する場合に限り個別包装すべき旨を報知でき、店員の大きな負担となることなくマイバッグ利用客へのサービス向上を図ることができる効果を奏する。
【図面の簡単な説明】
【００１０】
【図１】本発明の第１及び第２の実施形態に係るキャッシャ対応レジの概略を示す外観図。
【図２】図１に示した登録装置と決済装置の要部構成を示すブロック図。
【図３】図２に示した決済装置のＨＤＤに保存される商品ファイルのデータ構造を示す模式図。
【図４】図２に示した決済装置のＨＤＤに保存されるメッセージファイルのデータ構造を示す模式図。
【図５】図２に示した登録装置のキーボードに設けられる主要なキーレイアウトを示す平面図。
【図６】第１の実施形態において、図２に示した登録装置のＲＡＭに形成される主要なメモリエリアを示す模式図。
【図７】第１の実施形態において、図２に示した登録装置のＣＰＵが実行する１取引の販売処理手順を示す流れ図。
【図８】第１の実施形態における個別包装確認メッセージの一例を示す平面図。
【図９】第２の実施形態において、図２に示した登録装置のＲＡＭに形成される主要なメモリエリアを示す模式図。
【図１０】第２の実施形態における個別包装確認メッセージの一例を示す平面図。
【図１１】第２の実施形態において、図２に示した登録装置のＣＰＵが実行する１取引の販売処理手順を示す流れ図。
【発明を実施するための形態】
【００１１】
以下、本発明の実施形態を、図面を用いて説明する。  
なお、この実施形態は、スーパーマーケットにおけるキャッシャ対応のレジに本発明の商品販売処理装置を適用した場合である。
【００１２】
（第１の実施形態）
図１は、本実施形態に係るキャッシャ対応レジの概略を示す外観図である。レジには、チェックアウト業務担当の店員であるキャッシャの作業領域１に向けて、商品の登録に供せられる登録装置１０と、登録された商品の決済に供せられる決済装置２０とが設けられている。登録装置１０は、本発明の商品販売処理装置として機能する。
【００１３】
登録装置１０は、チェックアウトカウンタ２に固定されている。決済装置２０は、レジ台３の上にドロワ４を介して載置されている。登録装置１０と決済装置２０とは、図示しない通信ケーブルにより接続されている。
【００１４】
チェックアウトカウンタ２は、その奥側の顧客通路に沿って細長い形状をしている。レジ台３は、チェックアウトカウンタ２に沿って移動する顧客の移動方向に対して下流側のチェックアウトカウンタ２の端部手前側に、チェックアウトカウンタ２に対して略垂直に置かれている。そして、このチェックアウトカウンタ２の手前側とレジ台３の手前側が、キャッシャの作業領域１となっている。
【００１５】
決済装置２０は、決済に必要なデバイスとして、キーボード２１、オペレータ用ディスプレイ２２、客用ディスプレイ２３、レシートプリンタ２４等を備えている。この種の決済装置２０は、一般にＰＯＳ（Point Of Sales）端末と称される。
【００１６】
登録装置１０は、商品の登録に必要なデバイスとして、スキャナ１１、キーボード１２、タッチパネル１３、客用ディスプレイ１４等を備えている。スキャナ１１は、読取窓１１ａを作業領域１側に向けて、チェックアウトカウンタ２の略中央に立設されている。キーボード１２とタッチパネル１３は、スキャナ１１の上部に、作業領域１側に向けて取り付けられている。客用ディスプレイ１４は、スキャナ１１の上部に、作業領域１とは反対側に向けて取り付けられている。
【００１７】
チェックアウトカウンタ２の登録装置１０を挟んで顧客移動方向上流側の荷受面は、顧客が購入する商品Ｍが収容された買物容器５を置くためのスペースとなっている。また、下流側の荷受面は、スキャナ１１により登録された商品Ｍを入れるための買物容器６を置くためのスペースとなっている。作業領域１内のキャッシャは、買物容器５に収容された商品Ｍを１品ずつ取り出し、その商品Ｍのバーコードが付された面をスキャナ１１の読取窓１１ａにかざす。そして、スキャナ１１によりバーコードが読み取られたならば、その商品Ｍを買物容器６に入れる。このとき、客がマイバッグを持参していた場合には、買物容器６の代わりにマイバッグに商品Ｍを入れるようにしてもよい。キャッシャは、以上の作業を買物容器５に収容された商品Ｍについて１品毎に繰返し行い、完了したならば、決済装置２０を操作して決済を行う。
【００１８】
図２は、上記登録装置１０と決済装置２０の要部構成を示すブロック図である。登録装置１０は、前記スキャナ１１、キーボード１２、タッチパネル１３、客用ディスプレイ１４の他、ＣＰＵ（Central Processing Unit）１５、ＲＯＭ（Read Only Memory）１６、ＲＡＭ（Random Access Memory）１７、ブザー１８及び通信インターフェース１９を備えている。決済装置２０は、前記キーボード２１、オペレータ用ディスプレイ２２、客用ディスプレイ２３、レシートプリンタ２４の他、ＣＰＵ２５、ＲＯＭ２６、ＲＡＭ２７、ＨＤＤ（Hard Disk Drive）２８、通信インターフェース２９及びホストインターフェース３０を備えている。
【００１９】
登録装置１０と決済装置２０とは、それぞれ通信インターフェース１９，２９とを介してデータの送受信を行う。また、決済装置２０は、ホストインターフェース３０を介して図示しないホストコンピュータのデータの送受信を行う。
【００２０】
ＨＤＤ２８は、図３に示すデータ構造の商品ファイル２８１と、図４に示すデータ構造のメッセージファイル２８２とを保存する。なお、この他のデータファイルを保存することを妨げるものではない。
【００２１】
商品ファイル２８１は、各商品を識別可能な商品識別データである商品コードにそれぞれ関連付けて、各商品の属性コード、商品名、単価等の商品設定データを格納する。そして本実施形態では、商品設定データの項目に、個別包装フラグとメッセージ番号とを追加している。
【００２２】
個別包装フラグは、対応する商品コードによって識別される商品が個別包装対象の商品であるとき“１”にセットされ、個別包装対象の商品でないとき“０”にリセットされる。肉や魚等のように汁等がこぼれ易い商品や、洗剤等のように匂いが強い商品は、個別に包装すべき商品であるので、当該商品の商品コードに関連付けられた商品設定データの個別包装フラグは“１”にセットされる。その他の商品の商品コードに関連付けられた商品設定データの個別包装フラグは“０”にリセットされる。
【００２３】
メッセージ番号は、登録装置１０で個別包装対象商品が登録された際に個別包装すべき旨を報知するために用いるメッセージデータを特定する。メッセージデータは、図４に示すように、メッセージ番号別にメッセージファイル２８２に格納されている。個別包装対象商品の商品コードに関連付けられた商品設定データ、すなわち個別包装フラグが”１”にセットされた商品設定データには、その商品が個別包装すべき旨を報知するのに適したメッセージデータのメッセージ番号が設定されている。
【００２４】
図５は、登録装置１０のキーボード１２に設けられる主要なキーレイアウトを示す平面図である。キーボード１２には、数値データを置数するための置数キー１２１の他、マイバッグキー１２２、レジ袋キー１２３、×キー１２４、クリアキー１２５、取消キー１２６、支払キー１２７等のファンクションキーが配設されている。マイバッグキー１２２は、買上商品を持ち帰るための買物袋を客が持参していることを宣言するマイバッグ宣言手段として機能する。レジ袋キー１２３は、買上商品を持ち帰るための買物袋として店備え付けのレジ袋を使用することを宣言するレジ袋宣言手段として機能する。これらのキーの一部または全部は、タッチパネル１３上のタッチキーとして設けてもよい。
【００２５】
図６は、登録装置１０のＲＡＭ１７に形成される主要なメモリエリアを示す模式図である。ＲＡＭ１７には、商品コード、商品名、単価、販売点数及び販売金額等のデータ項目からなる１取引分の商品販売データを一時的に記憶する取引バッファ１７１と、マイバッグフラグを記憶するフラグメモリ（マイバッグ情報記憶手段）１７２とが、少なくとも形成されている。マイバッグフラグは、マイバッグを持参した客との取引であるとき“１”にセットされる。
【００２６】
図７は、登録装置１０のＣＰＵ１５が実行する１取引の販売処理手順を示す流れ図である。ＣＰＵ１５は、ＲＯＭ１６に格納されたプログラムに従い、図７に示す手順で１取引の販売処理を実行する。
【００２７】
先ず、ＣＰＵ１５は、レジ袋宣言手段によりレジ袋宣言が行われるか、マイバッグ宣言手段によりマイバッグ宣言が行われるのを待機する（ＳＴ１、ＳＴ２）。ここで、レジ袋キー１２３が操作入力されると、レジ袋宣言を受け付ける（ＳＴ１のＹＥＳ）。ＣＰＵ１５は、フラグメモリ１７２のマイバッグフラグを“０”にリセットする（ＳＴ３）。これに対し、マイバッグキー１２２が操作入力された場合には、マイバッグ宣言を受け付ける（ＳＴ２のＹＥＳ）。ＣＰＵ１５は、フラグメモリ１７２のマイバッグフラグを“１”にセットする。
【００２８】
ＳＴ３またはＳＴ５の処理において、マイバッグフラグをリセットまたはセットしたならば、ＣＰＵ１５は、取引バッファ１７１を一旦クリアする（ＳＴ５）。そして、商品登録を待機する（ＳＴ６）。
【００２９】
スキャナ１１でバーコード体系の商品コードが読取られるか、タッチパネル１３のタッチボタン操作によりそのボタンに割り付けられた商品コードが入力されると、その商品コードで識別される商品の登録を受け付ける（ＳＴ６）。ＣＰＵ１５は、登録を受け付けた商品コードに関連付けられた商品設定データを、決済装置２０の商品ファイル２８１から呼出す（ＳＴ７）。そして、この商品設定データに含まれる商品名、価格等をタッチパネル１３と客用ディスプレイ１４とにそれぞれ表示させる（ＳＴ８）。また、商品コード、商品名、価格、販売点数及び販売金額等から商品販売データを生成し、取引バッファ１７１に格納する（ＳＴ９）。
【００３０】
しかる後、ＣＰＵ１５は、マイバッグフラグをチェックして、マイバッグ宣言が行われた商取引であるか否かを判断する（ＳＴ１０）。マイバッグフラグがリセットされている場合は、マイバッグ宣言でなくレジ袋宣言が行われた商取引である（ＳＴ１０のＮＯ）。この場合、ＣＰＵ１５は、支払キー１２７が入力されたか否かを判断する（ＳＴ１１）。
【００３１】
これに対し、マイバッグフラグがセットされている場合は、マイバッグ宣言が行われた商取引である（ＳＴ１０のＹＥＳ）。この場合、ＣＰＵ１５は、ＳＴ７の処理にて取得した商品設定データに個別包装対象の商品であることを示す個別包装情報が含まれているか否か、すなわち、個別包装フラグがセットされているか否かを解析する（ＳＴ１２：商品設定データ解析手段）。個別包装フラグがセットされていない場合、個別包装情報が含まれていない（ＳＴ１２のＮＯ）。この場合、ＣＰＵ１５は、支払キー１２７が入力されたか否かを判断する（ＳＴ１１）。
【００３２】
これに対し、個別包装フラグがセットされている場合は、個別包装情報が含まれている（ＳＴ１２のＹＥＳ）。この場合、ＣＰＵ１５は、当該商品設定データに含まれるメッセージ番号に対応してメッセージファイル２８２に設定されているメッセージデータを決済装置２０から呼出す（ＳＴ１３）。そして、このメッセージデータに基づく個別包装確認メッセージ画面をタッチパネル１３に表示させる（ＳＴ１４：個別包装報知手段）。このとき、表示中の画面の一部にメッセージ画面を重ねて表示させる。表示中の画面を一旦消去して、メッセージ画面だけを表示してもよい。
【００３３】
メッセージ画面を表示させた後、ＣＰＵ１５は、クリアキー１２５が入力されるのを待機する（ＳＴ１５）。クリアキー１２５は、報知の停止を指令する操作子である。クリアキー１２５が操作入力されると（ＳＴ１５のＹＥＳ）、ＣＰＵ１５は、個別包装確認メッセージ画面を消去して、当該メッセージ画面表示前の状態に戻す（ＳＴ１６）。しかる後、ＣＰＵ１５は、支払キー１２７が入力されたか否かを判断する（ＳＴ１１）。
【００３４】
支払キー１２７が入力されない場合は（ＳＴ１１のＮＯ）、次の商品登録を待機する（ＳＴ６）。そして、商品登録を受け付けると、ＣＰＵ１５は、ステップＳＴ７以降の処理を再度実行する。
【００３５】
支払キー１２７が入力された場合（ＳＴ１１のＹＥＳ）、ＣＰＵ１５は、取引バッファ１７１内の各商品販売データ、すなわち取引データを，決済装置２０に送信する（ＳＴ１７）。以上で、１取引の販売処理を終了する。
【００３６】
上記取引データを受信した決済装置２０のＣＰＵ２５は、この取引データを基に商品販売データを売上処理するとともに、商取引の合計データを算出し、オペレータ用ディスプレイ２２及び客用ディスプレイ２３に表示させる。そして、キーボード２１の操作入力により支払データが入力されたならば、この支払データと合計データとから締め処理を行い、レシートプリンタ２４を動作させて、レシート発行を行なう。
【００３７】
このように構成された本実施形態においては、キャッシャは、先ず、客がマイバッグを持参しているか否かを確認する。マイバッグを持参している場合にはマイバッグキー１２２を押下し、持参していない場合にはレジ袋キー１２３を押下する。また、マイバッグがバスケット型の場合は、買物容器６の代わりにそのマイバッグをセットする。マイバッグキー１２２が押下されると、マイバッグフラグが“１”にセットされる。レジ袋キー１２３が押下されると、マイバッグフラグが“０”にリセットされる。
【００３８】
キャッシャは、買物容器５に収容された商品Ｍを１品ずつ取り出して、登録装置１０に登録する。ここで、マイバッグフラグが“１”にセットされている場合、すなわち、マイバッグを持参している客との商取引の場合には、登録された商品Ｍに関する商品設定データの個別包装フラグがチェックされる。そして、個別包装フラグが“１”にセットされていた場合、その商品設定データのメッセージ番号に対応するメッセージデータがタッチパネル１３に表示される。すなわち、商品を個別包装すべき旨のメッセージが報知される。
【００３９】
メッセージの一表示例を図８に示す。キャッシャは、このメッセージを確認することにより、「登録した商品Ｍは汁等がこぼれやすいため個別包装が必要である」ということを容易に知ることができる。メッセージを確認したキャッシャは、レジに用意された個別包装用の袋に商品Ｍを収納してから、買物容器６またはマイバッグに入れる。
【００４０】
なお、個別包装フラグが“１”にセットされていない場合には、上記個別包装確認メッセージは表示されない。この場合、キャッシャは、商品Ｍをそのまま買物容器６またはマイバッグに入れる。
【００４１】
個別包装確認メッセージを確認したキャッシャは、クリアキー１２５を押下する。そうすると、メッセージが消去されるので、キャッシャは、買物容器５内の商品Ｍの登録を続ける。そして、個別包装フラグが“１”にセットされている商品が登録される都度、個別包装確認メッセージが報知されるので、個別包装を行ってから買物容器６またはマイバッグに入れる。こうして、買物容器５内の商品Ｍの登録を全て終了したならば、キャッシャは支払キー１２７を押下し、決済装置２０を用いて商取引の決済を行う。
【００４２】
一方、マイバッグフラグが“０”にセットされている場合、すなわち、マイバッグを持参していない客との商取引の場合には、登録された商品に関する商品設定データの個別包装フラグがチェックされない。したがって、たとえ個別包装フラグが“１”にセットされている商品が登録されても、個別包装確認メッセージは報知されない。
【００４３】
このように本実施形態によれば、マイバッグを持参した客との商取引においてのみ、個別包装対象商品については個別包装確認メッセージが報知されるので、全ての商取引において同様なメッセージが表示される場合と比較してキャッシャの負担を大きく軽減することができる。また、個別包装フラグのチェック処理はマイバッグ利用客との商取引に限られるので、全ての商取引においてチェック処理が行われる場合と比較して全体の処理時間が短くなり、効率的である。
【００４４】
その上、マイバッグ利用客に対しては、個別包装が必要な商品についてキャッシャが確実に個別包装をしてマイバッグに入れるというサービスを実施できるので、マイバッグを利用していない客との差別化を図ることができる。また、マイバッグでなく買物容器６に個別包装をした商品を入れた場合でも、客はサッカー台で買物容器６内の商品をマイバッグに入替えるが、その際、個別包装が必要な商品については既に個別包装されているので、個別包装をする手間を不要にできる。このため、マイバッグ利用客の増加が見込まれ、環境保護活動に積極的に取り組んでいる店舗であると消費者から評価されて、客足が延びることが期待できる。
【００４５】
また、本実施形態では、個別包装確認メッセージが報知された場合、クリアキー１２５を押下しないとその報知が停止されず、次の操作に移ることができない。したがって、キャッシャがメッセージを見落としてしまって、個別包装対象商品を個別包装することなく買物容器６またはマイバッグに収容してしまう不具合を未然に防止できる効果を奏する。
【００４６】
（第２の実施形態）
第１の実施形態では、個別包装のし忘れを防ぐために、クリアキー１２５を押下しないと個別包装確認メッセージが消去されないものとしたが、このような構成では、メッセージが表示される都度、クリアキー１２５を押下しないといけないという煩雑感がある。そこで次に、個別包装確認メッセージを次の商品登録に連動させて自動的に消去することで、上述したような煩雑感を回避し得る第２の実施形態について、図１〜図５及び図９〜図１１を用いて説明する。なお、第１の実施形態と共通する部分には同一の符号を付し、詳しい説明を省略する。
【００４７】
図９は、第２の実施形態において、登録装置１０のＲＡＭ１７に形成される主要なメモリエリアを示す模式図である。ＲＡＭ１７には、第１の実施形態で説明した取引バッファ１７１及びマイバッグフラグのフラグメモリ１７２に加えて、個別包装フラグのフラグメモリ１７３を形成する。個別包装フラグは、個別包装すべきメッセージの表示中に“１”にセットされる。
【００４８】
図１０は、第２の実施形態において表示される個別包装確認メッセージの一例である。第１の実施形態のときの図６と比較すれば明らかなように、クリアキー１２５によって消去する必要がないため、その旨の情報が省略されている。
【００４９】
図１１は、第２の実施形態において、登録装置１０のＣＰＵ１５が実行する１取引の販売処理手順を示す流れ図である。ＣＰＵ１５は、ＲＯＭ１６に格納されたプログラムに従い、図１１に示す手順で１取引の販売処理を実行する。
【００５０】
この手順において、第１の実施形態と異なる点の１つは、ＳＴ１４にて個別包装確認メッセージをタッチパネル１３に表示させた後の処理である。第２の実施形態では、個別包装確認メッセージがタッチパネル１３に表示されると、ＣＰＵ１５は、フラグメモリ１７３の個別包装表示フラグを“１”にセットする（ＳＴ２４）。しかる後、ＣＰＵ１５は、支払キー１２７が入力されたか否かを判断する（ＳＴ１１）。
【００５１】
また、第１の実施形態と異なる別の点は、ＳＴ６にて商品の登録を受け付けた後の処理である。第２の実施形態では、商品が登録されると、個別包装表示フラグをチェックする（ＳＴ２１）。ここで、個別包装表示フラグが“０”、すなわち個別包装確認メッセージ画面が表示されていないときには、直ちに、ＳＴ７の処理に進む。
【００５２】
これに対し、個別包装表示フラグが“１”、すなわち個別包装確認メッセージ画面が表示されているときには、ＣＰＵ１５は、このメッセージ画面を消去して、メッセージ表示前の画面に戻す（ＳＴ２２）。また、個別包装表示フラグを“０”にリセットする（ＳＴ２３）。しかる後、ＳＴ７の処理に進む。
【００５３】
このような構成の第２の実施形態においても、マイバッグを持参した客との商取引においてのみ、個別包装対象商品について個別包装確認メッセージが報知される。そしてこのメッセージは、次の商品を登録することで自動的に消去される。したがって、メッセージを消去するための格別な操作が不要となるので、キャッシャの煩雑感がなくなる。また、販売処理に要する時間も短縮されるので、チェックアウト業務が滞る心配もなくなる。
【００５４】
なお、この発明は前記実施形態そのままに限定されるものではなく、実施段階ではその要旨を逸脱しない範囲で構成要素を変形して具体化できる。
【００５５】
例えば、個別包装確認メッセージを消去するために、第１の実施形態では格別なキー操作を要求し、第２の実施形態では格別なキー操作を不要としたが、これら２つの機能を搭載し、ユーザが所望の機能を適宜選択できるようにしてもよい。
【００５６】
また、前記実施形態では、スーパーマーケットにおけるキャッシャ対応のレジに設置される登録装置１０に本発明の商品販売処理装置を適用したが、本発明の適用はこれに限定されるものではない。例えば、セルフスキャニング方式のレジに本発明を適用しても、客自身が商品を登録した際にその商品を個別包装すべきか否かの判断を支援できるので、マイバッグ利用客の有益性を高めることができる。
【００５７】
また、前記実施形態では、マイバッグ宣言手段をマイバッグキー１２２としたが、宣言手段はこれに限定されるものではない。要は、買上商品を持ち帰るための買物袋を客が持参していることの宣言を、商品販売処理装置が受け付けられるものであればよい。
【００５８】
さらに、前記実施形態では装置内部に発明を実施するプログラムが予め記録されている場合で説明をしたが、これに限らず同様のプログラムをネットワークから装置にダウンロードしても良いし、同様のプログラムを記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【００５９】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【符号の説明】
【００６０】
１０…登録装置、１１…スキャナ、１２…キーボード、１３…タッチパネル、２０…決済装置、１２２…マイバッグキー、２８１…商品ファイル、２８２…メッセージファイル。
【図１】
0005396495.tif 000002
【図２】
0005396495.tif 000003
【図３】
0005396495.tif 000004
【図４】
0005396495.tif 000005
【図５】
0005396495.tif 000006
【図６】
0005396495.tif 000007
【図７】
0005396495.tif 000008
【図８】
0005396495.tif 000009
【図９】
0005396495.tif 000010
【図１０】
0005396495.tif 000011
【図１１】
0005396495.tif 000012